(57)【要約】【課題】電界によって動作する電気光学表示素子に於いて，電界に対する感度を向上させて低電圧で動作する電気光学表示素子を実現提供する。【解決手段】本発明の電気光学表示素子に依れば，導体片の尖鋭端近傍での電界集中を利用して電気光学層への電界を局部的に増大させて実質的な感度を向上できる。また，ＣＮＴを利用して尖鋭端を有する導体片構造の低コスト化を可能とした。この感度を向上できる電気光学表示素子を適用して，厚い被覆を有する電線に於いても被覆外から電線の通電有無を視認可能とする通電表示媒体を実現でき，安全面への寄与が可能となる。【選択図】  図１
2004252039.tif 000002
【特許請求の範囲】
【請求項１】
電界に応じて光学特性が変化する電気光学層を有する電気光学表示素子であって，微小径の尖鋭端を有する導体片を電気光学層近傍に配置し，尖鋭端近傍に於ける電界集中により実質的に電気光学層の電界に対する感度を増したことを特徴とする電気光学表示素子
【請求項２】
請求項１記載の電気光学表示素子に於いて，尖鋭端を有する導体片は駆動電極とは絶縁され，電気光学層側に尖鋭端を有する凸形状の導電性薄膜で構成したことを特徴とする電気光学表示素子
【請求項３】
請求項１記載の電気光学表示素子に於いて，尖鋭端を有する導体片は駆動電極からは絶縁され，一つ或いは複数の尖鋭端を有する導体片或いは導電性微細繊維構造物質を有する区分化された導体板より構成されていることを特徴とする電気光学表示素子
【請求項４】
請求項１記載の電気光学表示素子に於いて，尖鋭端を有する導体片を表示の最小単位である画素を駆動する駆動電極と一体化構成したことを特徴とする電気光学表示素子
【請求項５】
微小セル或いはマイクロカプセル等の微小区分構造の電気光学層で構成される請求項１記載の電気光学表示素子に於いて，電気光学層の前記微小区分毎に導体片が有する尖鋭端を近傍に配置するよう構成して尖鋭端近傍に於ける電界集中を有効に利用できる構成としたことを特徴とする電気光学表示素子
【請求項６】
請求項１記載の電気光学表示素子において，電気光学層は直流或いは交流電界により物質の移動或いは配向変更により光学的な変化を生じる電気泳動層であることを特徴とする電気光学表示素子
【請求項７】
請求項１記載の電気光学表示素子において，電気光学層は直流電界により球の向きを変える回転球式で有ることを特徴とする電気光学表示素子
【請求項８】
請求項１記載の電気光学表示素子において，電気光学層は直流或いは交流電界により液晶の配向変更で光学的な変化を生じる液晶層であることを特徴とする電気光学表示素子
【発明の詳細な説明】
【０００１】
【産業上の利用分野】
本発明は，電界によって作動する電気光学表示素子に拘わり，特に尖鋭端を有する導体片によって実質的に電界に対する感度を向上した電気光学表示素子に拘わる。
【０００２】
【従来の技術】
電気信号を光学的な変化として表示する電気光学表示素子には多岐の技術が存在し，電界のみによって動作する電気光学表示素子でも液晶式，回転球式，電気泳動式，固体電界発光式等，数種類存在する。しかしながらこれら電気光学表示素子を駆動するには数十ボルトから数百ボルトの電圧を要して駆動回路側の負担は大である。
【０００３】
また，電界による電気光学表示素子を利用して，電線被覆外から電線への通電有無を視認可能とする通電表示媒体を実現しようとすると，厚い電線被覆の存在によって十分な電界強度を電気光学表示素子に加えることが困難である。上記の電気光学表示素子では１ミクロンメートル当たり２０ボルトから４０ボルト程度，感度の良い電気泳動式でも１ミクロンメートル当たり１ボルト程度の電界強度が必要であり，日常的に使用する低電圧電線での通電表示を視認可能とするには電界に対する感度を向上させることが必要である。
【０００４】
【発明が解決しようとする課題】
そこで本発明の目的は，電界によって動作する電気光学表示素子に於いて，電界に対する感度を向上させて低電圧で動作する電気光学表示素子を実現提供することである。
【０００５】
【課題を解決するための手段】
本発明による電気光学表示素子では，導体片の尖鋭端を電気光学層に近接配置し，縁端効果によって尖鋭端近傍の電界強度が増大することにより実質的に電気光学表示素子の電界に対する感度を向上させる。
【０００６】
上記本発明の電気光学表示素子は電流注入或いは荷電粒子の衝撃を伴わない，電界のみにより物質の偏倚，配向変化から光学的な変化を生じさせる表示素子を対象とし，種々の異なった構造の電気光学層に適用可能である。例えば，以下の各素子がある。（１）誘電性（電気的絶縁体）液体内に電気泳動粒子を分散させ，電界により電気泳動粒子の分散状態を変える表示素子。（２）エラストマー中に，電界の向きに応じて反転可能な２色に色分けされた微小球状体を分布させた表示素子。（３）色と電気的特性の双方が異なる半球を合わせた回転体を内包したマイクロカプセルを用い，電界印加により回転体を回転させる表示素子。（４）液晶をフィルムで挟んだフィルム液晶型の表示素子。（５）交流電界によって発光する固体電界発光素子。
【０００７】
上記電気光学表示素子の電気光学層内に尖鋭端を有する多角形の導体片を分散させて本発明の電気光学表示素子を構成させることが出来るが，均一な動作を期待するには電気光学層側に尖鋭端を向けて導体片を一定距離で配置する。
【０００８】
尖鋭端を有する導体片としては，基板上に塗布した樹脂を型形成により尖鋭端を有する凸形状としてその上に導体薄膜をメッキ，蒸着等により形成して尖鋭端を有する導体片を構成しても，また基板上に形成した導体板上に導電性微細繊維構造物質としてカーボンナノチューブを接続形成しても形成することが出来る。
【０００９】
セル状或いはマイクロカプセル状に電気光学物質を封じて微小区分化した構造例が，液晶式，電気泳動式，回転球式等の電気光学表示素子に見られるが，これらの構造に於いては前記導体片の尖鋭端をそれらセル状或いはマイクロカプセル状の微小区分にほぼ合わせて配置することにより尖鋭端に於ける電界集中効果を有効に利用できる。
【００１０】
上記導体片は電界を加える電極間に絶縁状態として配置する構造を想定しているが，更にそれら尖鋭端を有する導体片を区分化して表示用の最小単位である画素毎の駆動電極にそれぞれ接続して尖鋭端自体を一方の電極とする構成も一層効果がある。
【００１１】
【作用】
電界中の導体片に於いて，その角部近傍に電界が集中する縁端効果はよく知られているが，本発明ではその縁端効果を利用して電気光学層における電界強度を局部的に増大させて実質的に電気光学効果を増感する。これにより従来の電気光学表示素子より低電圧で動作可能な電気光学表示素子を実現し，電線の絶縁被覆外から通電有無を確認可能な通電表示媒体を実現することが出来る。
【００１２】
【発明の実施の形態】
以下に本発明による電気光学表示素子について，その実施例及び原理作用等を図面を参照しながら説明する。
【００１３】
図１は，本発明の第一の実施例を示し，電気泳動方式の電気光学表示素子をカーボンナノチューブ（以下ＣＮＴとする）を利用して増感させる例を示す。同図に於いて，電気光学表示素子は，基板１１上に駆動電極１２，絶縁層１３，ＣＮＴ１５が接続された区分化された導体板１４，各ＣＮＴ１５先端近傍に電気泳動媒質１８，電気泳動粒子１９を内蔵するセル１７が配置され，更にその上に透明電極層１ａ，透明保護層１ｂを配して構成される。
【００１４】
電気泳動媒質１８，電気泳動粒子１９はセル１７内に封じるよう構成される。ＣＮＴ１５を支持保護する周囲の充填物質１６は凹凸を有するよう構成し，その凹部にセル１７を形成する。球形のマイクロカプセルより薄型に構成でき，ＣＮＴ１５による電界集中効果を有効に利用できる。
【００１５】
画素毎の駆動電極１２と透明電極層１ａとの間には，直流電源１ｃとスイッチ１ｄ，１ｅ，１ｆが接続され，表示内容に従ってスイッチ１ｄ，１ｅ，１ｆのオン，オフを制御し，セル１７内の電気泳動粒子１９を偏倚させて透明電極層１ａ側から見た光学特性を変える。
【００１６】
図１に示したセル式の電気泳動表示素子は公知の技術であって，電極間にセル１７が配置される。このセル１７内には電気泳動表示用媒質１８として，例えば分散媒中に明るい色の染料（例えば白色顔料）が溶解されたものであり，この媒質１８に分散されている黒色の荷電粒子（電気泳動粒子，例えば黒色顔料）１９を含んでいる。
【００１７】
このような電気泳動表示素子は，上下の電極層間に置いて，上側の電極層にプラスの電圧を印加し，下側の電極層にマイナスの電圧を印加すると，負に帯電した上記黒色顔料１９がクーロン力によってセル１７内を陽極に向かって電気泳動し，その黒色顔料１９が上側の電極層側に偏倚する。このような状態の電気泳動表示素子を，上方の位置から観察すると，黒色顔料１９がセル１７内の上側に偏倚した部分は透明電極層を介して黒色に見えることになる。一方、印加電圧の極性を逆にすれば，黒色顔料１９は，対面側の電極層側にセル１７内で偏倚し，黒色顔料１９が白色の媒質１８の背後に隠れるので電気泳動表示素子は白色に見えることになる。
【００１８】
導体板１４とＣＮＴ１５とは駆動電極１２からは絶縁され，駆動電極１２により導体板１４上に誘起されたと電荷がＣＮＴ先端部に集中して発生させる大きな電界を利用して増感する。この点を図２を用いて更に説明する。
【００１９】
図２はこのＣＮＴ１５を区分化された導体板１４に接続させて，電極１２，１ａ間に配置した構造を模式的に示している。図２では簡単のために一つのＣＮＴ１５のみを示したが，同一の導体板１４に複数のＣＮＴ１５を接続する構造でも良い。但し，その場合に誘起された電荷は分散される。図２の上下方向に電極１２，１ａにより電界が印可されているとすると，電極１２，１ａ表面には電荷２１，２４が現れ，導電性のあるＣＮＴ１５，導体板１４にはそれぞれ電荷が誘起される。導体板１４下側表面に誘起される電荷２２は電極１２上の正電荷２１とは逆の負電荷であり，導体板１４の逆側はＣＮＴ１５，導体板１４の上側表面の正電荷となる。ＣＮＴ１４は電界方向に延びているので正電荷の大部分はＣＮＴ１５の先端に集中して正電荷２３として現れ，その近傍に大きな電界を発生させる。導体板１４とＣＮＴ１５先端の面積比が近似的に電界集中効果の度合いを示す。またＣＮＴ１５は長さが数十ミクロンメートルと大であるので先端近傍に作る電界に負電荷２２の影響は小さい。
【００２０】
電極１２，１ａの作る電界は平等であるとし，導体板１４に誘起される電荷２２は電極１２と導体板１４との面積比であり，ＣＮＴ１５先端部に誘起される電荷２３の量は電荷２２の総量と等しいと近似すると，その電荷量はπ＊ε＊ｂ＊ｂ＊Ｖ／ｄに比例する。ここでεは誘電率であり，ｂは導体板１４の半径，Ｖは電極１２，１ａ間の電圧，ｄは電極１２，１ａ間の距離である。したがって，ＣＮＴ１５先端近傍の電界強度はＶ／ｄ＋ｂ＊ｂ＊Ｖ／（４＊ｒ＊ｒ＊ｄ）で表される。実際にはベクトル和であるが，近似的に和として示している。ｒはＣＮＴ１５先端からの距離である。
【００２１】
第二項が縁端効果を示し，加えられた電界強度Ｖ／ｄをｂ＊ｂ／（４＊ｒ＊ｒ）＋１倍に増大できることを示している。したがって，導体板１４を１００ミクロンメートル径の円板とすると，ＣＮＴ１５先端から直径１０ミクロンメートルの球の外周での電界強度は最大で２６倍になる。
【００２２】
導体板１４及びＣＮＴ１５の周囲には絶縁用の樹脂１６を配置する構造とする。区分化された導体板１４上にＣＮＴ１５を配置，方向を揃える方法として，既に特開２００２−１００２８０，特開２００１−３１２９５３，特開２００１−１１０３０３等にＣＮＴを導体板に直交方向に配向させる製法が公開され，更にＣＮＴの保護に関しても特開２００２−２０３４７１に記載があるので詳しい説明は省略する。
【００２３】
またカーボンナノチューブ（ＣＮＴ）は新しい炭素材料であり，電界放出型冷陰極等のエミッタ材料として期待され，盛んに開発が行われている。ＣＮＴは，炭素原子が規則的に配列されたグランフェンシートをチューブ状に丸めた中空の円筒形状を有し，外径がナノメートル（ｎｍ）オーダーで，長さが０．５〜数１０μｍという極めてアスペクト比が高い微小な物質である。このような形状のＣＮＴでは，先端部分に電界集中が起こり易く，高い放出電流密度が期待できるとして電界放出型のエミッタ材料として期待されている。本発明の電気光学表示素子で電子放出は不要であるが，本発明で不可欠な尖鋭端を有する導体片に最適な素材である。
【００２４】
ＣＮＴは，炭素棒を電極とするアーク放電によって生成できる。この生成法は，Ｎａｔｕｒｅ  Ｖｏｌ．３５４（１９９１）ｐ．５６−５８等の文献に記載されており，その中に，６６，５００Ｐａ（５００Ｔｏｒｒ）のヘリウム又はアルゴンガスの雰囲気中で触媒金属として鉄，コバルトやニッケルを添加した炭素棒電極を用いてアーク放電を行う旨の記述がある。その他，特開２００２−１５７９５３，特開２００１−２３６８７８等にもＣＮＴの製法が公開されている。
【００２５】
図１に於いて，スイッチ１ｄ，１ｅ，１ｆは集積化された半導体素子で通常は構成されるが，模式的に示してある。スイッチ１ｄ，１ｆは閉じて電界をセル１７に加え，スイッチ１ｅは開いている。セル１７内の電気泳動粒子１９は電界の有無によって偏倚或いは分散して透明電極層１ａ側から見た光学特性を変える。導体片１４及びＣＮＴ１５によりセル１７に加えられる電界は増大されるので駆動電極１２及び透明電極層１ａ間に加える電圧は低電圧とすることが出来，或いはまた駆動電極１２と導体片１４間の絶縁層１３の厚みを大にすることが出来る。
【００２６】
図３は，本発明の第二の実施例を示し，電気泳動方式の電気光学表示素子をカーボンナノチューブ（以下ＣＮＴとする）を利用して増感させる例を示す。同図に於いては，駆動電極１２と導体板１４とを一体として駆動電極１２にＣＮＴ１５は直接接続され，各ＣＮＴ１５先端近傍に電気泳動媒質３２，電気泳動粒子３３を内蔵するマイクロカプセル３１が配置され，更にその上に透明電極層１ａ，透明保護層１ｂを配して構成される。  画素毎の駆動電極１２と透明電極層１ａとの間には，直流電源１ｃとスイッチ１ｄ，１ｅ，１ｆが接続され，表示内容に従ってスイッチ１ｄ，１ｅ，１ｆのオン，オフを制御し，マイクロカプセル３１内の電気泳動粒子３３を偏倚させて透明電極層１ａ側から見た光学特性を変える。
【００２７】
図３に示したマイクロカプセル式の電気泳動表示素子は公知の技術であって，図１に示したセル１７とは原理作用を同じくするが製造方法が異なる。図１の構造ではＣＮＴ１５を支持保護する周囲の充填物質１６は凹凸を有するよう構成し，その凹部にセル１７を形成し，電気泳動媒質１８，電気泳動粒子１９をセル１７内に封じるよう構成する。図３に示したマイクロカプセル式では予め電気泳動媒質３２，電気泳動粒子３３を含んだマイクロカプセル３１を構成し，塗布その他の方法により電気泳動表示素子を完成させる。これらの技術は既に公知であるので詳細な説明は省略する。
【００２８】
この電気泳動表示素子に於けるマイクロカプセル３１は直径が数十ミクロンメートル程度の大きさであり，電気光学変化に必要な電界強度は１ミクロンメートル当たり１ボルト程度としても駆動電極１２と透明電極層１ａ間には数十ボルトの駆動電圧が必要となる。ＣＮＴ１５はこの駆動電圧を低減させる為に配置するものである。
【００２９】
駆動電極１２にＣＮＴ１５を接続し，周囲に絶縁用の樹脂を配置する構造で駆動電極１２及び透明電極層１ａ間に電圧を加えるとマイクロカプセル３１には印加電圧と駆動電極１２及び透明電極層１ａ間の距離で決まる電界が加わるが，駆動電極１２にはＣＮＴ１５が接続されているのでその極めて細い先端部では縁端効果による電界集中が起こり，大きな電界がマイクロカプセル３１に加わることになる。
【００３０】
図４は本発明の第三の実施例を示し，直流電界の向きにより球の向きを変える回転球式の電気光学表示素子を示す。同図に於いて，電気光学表示素子は，基板１１上に駆動電極１２，絶縁層４１，区分化された凸状導体板４２，凸状導体板４２の先端部近傍にエラストマー４３及び回転素子４４，その上に透明電極層１ａ，透明保護層１ｂを配して構成される。
【００３１】
画素毎の駆動電極１２と透明電極層１ａとの間には，直流電源４５，４６と切替スイッチ４７，４８，４９が接続され，表示内容に従ってスイッチ４７，４８，４９が電源４５或いは４６の何れかを選んで回転素子４４に加える電界の向きを変え，回転素子４４の向きを変えて透明電極層１ａ側から見た光学特性を変える。
【００３２】
回転球式の表示素子は，米国特許第５，６０４，０２７，特開２００１−３４１９３に記述されているように、複数の回転素子４４を囲むエラストマー４３を含み，素子４４の形状はほぼ球形であるが、要素は円筒形等他の形状であってもよい。エラストマー４３には可塑化オイルがしみ込んでいるため，回転素子４４のそれぞれの周りに可塑化オイルで満たされた窪みが形成され，回転素子４４は円滑に回転する。
【００３３】
回転素子４４は光学的かつ電気的に異方性である。すなわちこの例では、各回転素子４４は１個の半球を有し，それと対向する半球に比べてより高い電荷を帯びている。従って，例えば電界中に置かれると，回転素子４４はオイルで満たされた窪みの中で回転して電界に整列する。回転素子４４はまた、もう一方の半球が例えば白いのに対して，より暗い（例えば黒）１個の半球を有する。従って、回転素子４４は選択的に回転させられて所望の表示画像を形成することができる。
【００３４】
図４に於いては，切替スイッチ４７，４８，４９によって電界方向を切り替える様子を示し，他と極性が異なるスイッチ４８に対応する回転素子４４が他と異なる面を透明電極層１ａ側から見える様子を示している。
【００３５】
回転素子４４に加える電界は凸状導体板４２によって増大させる。基板１１上に駆動電極１２を形成した後，絶縁層４１を形成し，型形成により絶縁層４１に円錐状の凸部を形成し，その上にメッキ，蒸着により薄膜の導体板を形成し，エッチングにより区分化して凸状導体板４２を形成する。フィールドエミッションディスプレイ用に開発されている冷陰極と類似の構成であり，製造法はそのまま適用することが出来る。
【００３６】
例えば円錐形状の導体版４２の形成にはエッチングプロセスを利用して微細加工を行う方法や、成膜材料をスパッタして斜入射堆積する方法等が電界放出型冷陰極構造の形成に関して特開２００２−１９０２４８，特開２００２−１５７９５２，特開２００１−３０７６１９他により知られている。これらの例に於いてはシリコンの加工技術を利用するので錐体はシリコン材料をベースに行われているが，シリコンで錐体を作成した後に外周を薄い金属導電層で被覆すれば良い。また，錐体をシリコン他の周状障壁で囲むよう形成することがある。本実施例で周状の障壁は特に必要としないが，加工プロセス上に有利であるならそのまま残しても機能に支障は無い。
【００３７】
凸状の導体板４２による電界を増大させる原理は導体板とＣＮＴとを組み合わせた場合と同じであり，図２を用いて行った説明がそのまま適用できるので説明の繰り返しは避ける。
【００３８】
図５は本発明の第四の実施例を示し，電界の方向に液晶を整列させて光の透過度を変え，光学的な変化を生じさせる液晶式の電気光学表示素子を示す。同図に於いて，電気光学表示素子は，基板１１上に駆動電極１２，絶縁層４１，区分化された凸状導体板４２を構成し，凸状導体板４２の先端部近傍にポリマー分散液晶層５１を有し，その上に透明電極層１ａ，透明保護層１ｂを配して構成される。
【００３９】
画素毎の駆動電極１２と透明電極層１ａとの間には，交流電源５５とスイッチ５６，５７，５８が接続され，表示内容に従ってスイッチ５６，５７，５８のオン，オフを制御し，ポリマー分散液晶層５１の光透過率を局部的に制御して透明電極層１ａ側から見た光学特性を変える。
【００４０】
ポリマー分散液晶層５１に於いて，液晶物質は透明な固体のマトリクッスに隈無く分散され「ポリマー分散液晶（ｐｏｌｙｍｅｒ  ｄｉｓｐｅｒｓｅｄ  ｌｉｑｕｉｄ  ｃｒｙｓｔａｌ）」（ＰＤＬＣ）と呼ばれる複合物質を形成する。一般にＰＤＬＣフィルムは高分子マトリクッス５２に小滴５３，５４として分散され，小滴５３，５４の構造を与える液晶を含んで構成される。
【００４１】
ポリマー分散液晶層５１に電界を加えない“オフ”状態では，小滴５４内の液晶配向はランダムで周囲のポリマー５２とは屈折率の不一致が存在し，フィルムは光を分散させ不透明に見える。“オン”状態で小滴５３中の液晶はポリマー５２の屈折率に一致するように電気力線の方向（すなわち透明電極層１ａに垂直方向）再配列されポリマー分散液晶層５１を透明にする。
【００４２】
このようにスイッチ５６，５７，５８により局部的にポリマー分散液晶層５１に加える電界を制御して透明電極層１ａ側からの光学特性を制御できるが，凸状導体板４２によってポリマー分散液晶層５１への電界を増大させることが出来るのは図４に示した第三の実施例と同様でこの点の説明は省略する。
【００４３】
図５に示した第四の実施例では交流電源５５により交流電界をポリマー分散液晶層５１に加えたが，液晶を配向させる為の電界で有ればよいので交流電源５５は直流電源に替えても動作する。ただ，一般的に液晶物質にはヒステリシス特性が有るので交流電源による駆動が望ましい。
【００４４】
以上に実施例を挙げて本発明の趣旨，動作原理を説明したように本発明の趣旨を変えない範囲で材料，構成の変更等が可能なことは当然である。例えば電界によって光学特性を変える表示素子の技術は多岐に渡り，実施例として取り上げた例以外でも電子粉流体があり，また異なった構成の液晶もある。本発明の趣旨は電界によって光学特性を変える電気光学素子全てに適用できるものであり，上記の説明が本発明の範囲を限定するわけではない。
【００４５】
【発明の効果】
以上，実施例を用いて説明したように本発明の電気光学表示素子に依れば，導体片の尖鋭端近傍での電界集中を利用して電気光学層への電界を局部的に増大させて実質的な感度を向上できる。また，ＣＮＴを利用して尖鋭端を有する導体片構造の低コスト化を可能とした。この感度を向上できる電気光学表示素子を適用して，厚い被覆を有する電線に於いても被覆外から電線の通電有無を視認可能とする通電表示媒体を実現でき，安全面への寄与が可能となる。
【図面の簡単な説明】
【図１】第一の実施例である電気泳動式の電気光学表示素子の断面構成を示す。
【図２】ＣＮＴによる電界集中を説明する為の図を示す。
【図３】第二の実施例である電気泳動式の電気光学表示素子の断面構成を示す。
【図４】第三の実施例である回転球式の電気光学表示素子の断面構成を示す。
【図５】第四の実施例である液晶式の電気光学表示素子の断面構成を示す。
【符号の説明】
１１・・・基板，                        １２・・・駆動電極，
１３・・・絶縁層，                      １４・・・導体板，
１５・・・ＣＮＴ，                      １６・・・充填物質，
１７・・・セル，                        １８・・・電気泳動媒質，
１９・・・電気泳動粒子，                １ａ・・・透明電極層，
１ｂ・・・透明保護層，                  １ｃ・・・直流電源，
１ｄ，１ｅ，１ｆ・・スイッチ，
２１，２２，２３，２４・・電荷，
３１・・・マイクロカプセル，            ３２・・・電気泳動媒質，
３３・・・電気泳動粒子，
４１・・・絶縁層，                      ４２・・・凸状導体板，
４３・・・エラストマー，                ４４・・・回転素子，
４５，４６・・直流電源，                ４７，４８，４９・・スイッチ，
５１・・・ポリマー分散液晶層，          ５２・・・ポリマー，
５３，５４・・小滴，                    ５５・・・交流電源，
５６，５７，５８・・スイッチ
【図１】
2004252039.tif 000003
【図２】
2004252039.tif 000004
【図３】
2004252039.tif 000005
【図４】
2004252039.tif 000006
【図５】
2004252039.tif 000007